(57)【要約】【課題】雨水配管と竪樋とを連結する呼び樋において、外壁との間隔の長短にフレキシブルに対応して、雨水配管を露出させることなく竪樋との連結ができるように構成する。【解決手段】雨水配管が接続する呼び樋の受け口を、呼び樋本体部から側方に突出した開口部と、この開口部の外周面にスライド自在に装着した中カバー体と、この中カバー体の外周面にスライド自在に装着した外カバー体とで伸縮自在に構成する。【選択図】　　　　図１
2004011185.tif 000002
【特許請求の範囲】
【請求項１】
建物の外壁から端部を突出させた雨水配管と竪樋とを連結する呼び樋であって、前記雨水配管が接続する受け口を伸縮自在に設けたことを特徴とする呼び樋。
【発明の詳細な説明】
【０００１】
【発明の属する技術分野】
本発明は、軒樋やルーフドレインと接続した配管などの雨水用配管と、竪樋とを連結する呼び樋の構造に関する。
【０００２】
【従来の技術及び発明が解決しようとする課題】
図５（Ａ）に示されるように、陸屋根に降った雨水を集めて竪樋に通すため、建物の外壁５１から突出した雨水配管５２の端部５２ａと竪樋５３との連結に呼び樋５４Ａが用いられるが、建物施工の制約上、呼び樋５４Ａと外壁５１の間を大きくとらざるを得ない場合は、外壁５１から突出した雨水配管５２の外周面が露出し、建物の見栄えが悪くなる。
【０００３】
この場合、雨水配管５２が露出することを防ぐため、雨水配管５２と竪樋５３の連結部分をカバーする大型の飾りますを外壁５１に取り付けたのでは、飾りますが目立ちすぎて却って建物の見栄えが悪化する。外壁５１との間隔に応じて、前記呼び樋５４Ａと、同図（Ｂ）に示された雨水配管５２と竪樋５３の受け口が直角に折れたエルボ型の呼び樋５４Ｂとを使い分けたのでは、使用する呼び樋によって建物外観が異なり、また、呼び樋５４Ｂを使用するときは、外壁５１との間隔の長短に対応させて、受け口の長さの異なるものを複数種類準備する必要がある。
【０００４】
本発明は従来技術の有するこのような問題点に鑑み、雨水配管と竪樋とを連結する呼び樋において、外壁との間隔の長短にフレキシブルに対応して、雨水配管を露出させることなく竪樋との連結ができるようにすることを課題とする。
【０００５】
【課題を解決するための手段】
前記課題を解決するため本発明は、建物の外壁から端部を突出させた雨水配管と竪樋とを連結する呼び樋であって、前記雨水配管が接続する受け口を伸縮自在に設けたことを特徴とする。
これによれば、呼び樋と外壁との間隔が小さいときは、受け口を退縮させた状態で雨水配管を接続し、前記間隔が大きいときには受け口を伸長させた状態で雨水配管を接続し、外壁との間隔に長短がある様々な建物に対応して利用することができる。
【０００６】
【発明の実施の形態】
本発明の好適な一実施形態を図面を参照して説明する。
図１は本形態の呼び樋を用いて雨水配管と竪樋とを連結した建物外壁部の断面図、図２は呼び樋の部材展開斜視図、図３は雨水配管の受け口を退縮、伸長した状態の呼び樋の断面図、図４は外壁との間隔が大きい建物に本形態の呼び樋を取り付けた建物外壁部の断面図である。
【０００７】
図１に示されるように、呼び樋１は、建物の内部を通って端部３ａを外壁２から屋外に突出させた円筒形の雨水配管３と、固定部材５により外壁２に固定された角型の竪樋４との連結部分に取り付けられている。
【０００８】
呼び樋１は、図２に示されるように、上下両面を開口した略正方形断面を呈する筒体であって側面部に雨水配管３よりも若干大きい外径の円筒開口部１１ａを、下部に竪樋３の端部内周に接合する角筒開口部１１ｂをそれぞれ突出させて設けた本体部１１と、本体部１１の開口上面に嵌着する蓋部１２と、前記円筒開口部１１ａの外周にスライド自在に装着する中カバー体１３と、中カバー体１３の外周にスライド自在に装着する外カバー体１４とにより構成されている。
【０００９】
詳しくは、前記円筒開口部１１ａの周縁には外方突起１１ｃが適宜な間隔を開けて形成され、また、中カバー体１３と外カバー体１４の開口両面の周縁にも適宜な間隔を開けて内方突起１３ａ、１４ａと外方突起１３ｂ、１４ｂがそれぞれ形成されており、中カバー体１３は円筒開口部１１ａの外方突起１１ｃに内方突起１３ａを係合させて円筒開口部１１ａの外周面に沿ってスライド自在に取り付けられ、外カバー体１４は中カバー体１３の外方突起１３ｂに内方突起１４ａを係合させて中カバー体１３の外周面に沿ってそれぞれスライド自在に取り付けられている。
また、中カバー体１３と外カバー体１４は、円筒開口部１１ａの突出幅と略同じ幅に形成されており、両カバー体を本体部１１側へスライドさせた状態では円筒開口部１１ａの外周に両カバー体が重合し（図３（Ａ））、本体部１１外方へスライドさせた状態では前記円筒開口部１１ａの３倍分の幅だけ突出するように設けてある（同図（Ｂ））。
さらに、円筒開口部１１ａの外周上面には中カバー体１３の内周面に接合する突条１１ｄが、中カバー体１３の外周上面には外カバー体１４の内周面に接合する突条１３ｃがそれぞれ形成され、中カバー体１３と外カバー体１４のスライド位置を突条に沿って微妙に調節することができるようになっている。
また、蓋部１２はその下部に設けたスカート部１２ａを本体部１１の上部内周面に周設された凹溝１１ｅに嵌合して本体部１１の上面に着脱自在に固定されており、本体部１１から取り外して樋内部のメンテナンスを行えるようになっている。
【００１０】
このように形成された呼び樋１は、図１に示されるように、円筒開口部１１ａ、中カバー体１３及び外カバー体１４により構成される受け口に雨水配管３を接続し、角筒開口部１１ｂに竪樋４を接続して、雨水配管３と竪樋４とを連結する。雨水配管３及び竪樋４との接続部分は接着剤により一体的に固着され、また、外カバー体１４の端部も外方突起１４ｂに接着剤を塗布して外壁２に固着される。呼び樋１と外壁２との間隔を大きくとる場合には、図４に示されるように、雨水配管３の受け口を外カバー体１４の端部が外壁２に接合する位置まで伸長させて前記と同様に接着剤にて固着すれば、外壁２から突出した雨水配管３の周囲を覆った状態で雨水配管３と竪樋４を連結することができる。
【００１１】
なお、図示した呼び樋の形態は一例であり、本発明の呼び樋は雨水配管又は軒樋、竪樋の外形状に対応した適宜な形状に設けることができる。
【００１２】
【発明の効果】
本発明の呼び樋によれば、雨水配管の受け口を伸縮させることにより、外壁との間隔の長短に対応して使用することができるので、部材の共用化、コストの削減が図れるとともに、建物の外観のデザインにも外壁との間隔の長短にかかわりなく統一性を持たせることができる。
【図面の簡単な説明】
【図１】本発明の一実施形態の呼び樋を用いて雨水配管と竪樋とを連結した建物外壁部の断面図である。
【図２】呼び樋の部材展開斜視図である。
【図３】（Ａ）、（Ｂ）は雨水配管の受け口を退縮、伸長した状態の呼び樋の断面図である。
【図４】外壁との間隔が大きい建物に呼び樋を取り付けた建物外壁の断面図である。
【図５】（Ａ）、（Ｂ）は従来の呼び樋を用いて雨水配管と竪樋とを連結した建物外壁部の断面図である。
【符号の説明】
１　呼び樋、１１　本体部、１２　蓋部、１３　中カバー体、１４　外カバー体、２　外壁、３　雨水配管、４　竪樋
【図１】
2004011185.tif 000003
【図２】
2004011185.tif 000004
【図３】
2004011185.tif 000005
【図４】
2004011185.tif 000006
【図５】
2004011185.tif 000007